(57)【要約】      （修正有）【課題】各種の既設窓枠に対して改修用窓枠の位置決めを容易にして、改修作業の効率化を図ることができる改修用サッシを提供する。【解決手段】捨枠と改修用窓枠とを備え、下枠用の捨枠２２は、既設下枠３２の室内側上端面に載置される上壁２２１と、上壁２２１の室外側で下方に屈曲して垂下する垂下壁２２２と、垂下壁２２２に設けられた高さ調節手段２２５とを有し、改修用窓枠の下枠１２は捨枠に載置され、その室外側下面より下方に延設される水切壁１２５を有するとともに、改修用窓枠の下枠１２の下面と水切壁１２５の室内側面には位置決めの基準となる基準部分１２１ａ，１２５ａを有し、改修用窓枠の下枠１２の下面と水切壁１２５の室内側面の基準部分１２１ａ，１２５ａを、捨枠の上壁２２１上面と垂下壁２２２室外側面に当接させて固定する。【選択図】図３
2015132148.tif 000002
【特許請求の範囲】
【請求項１】
捨枠と改修用窓枠とを備え、
下枠用の捨枠は、既設下枠の室内側上端面に載置される上壁と、上壁の室外側で下方に屈曲して垂下する垂下壁と、垂下壁に設けられた高さ調節手段とを有し、
改修用窓枠の下枠は捨枠に載置され、その室外側下面より下方に延設される水切壁を有するとともに、
改修用窓枠の下枠の下面と水切壁の室内側面には位置決めの基準となる基準部分を有し、
改修用窓枠の下枠の下面と水切壁の室内側面の基準部分を、捨枠の上壁上面と垂下壁室外側面に当接させて固定することを特徴とする改修用サッシ。
【発明の詳細な説明】
【技術分野】
【０００１】
本発明は、建物に設けられている既設窓を改修するための改修用サッシに関する。
【背景技術】
【０００２】
従来、既設窓を改修するには、既設窓枠全体を建物の開口部から取り外して行っていたが、改修作業が大がかりとなるなどの問題があった。
それらの問題を解決するために、最近では、既設枠を建物の開口部に残存させたまま改修用サッシを既設窓枠に被せるように取付施工する改修用サッシが知られており、残存する既設の窓枠に対して、取付補助部材等を介して改修用サッシを固定していた。
【先行技術文献】
【特許文献】
【０００３】
【特許文献１】特開昭５９−１０６８６号公報
【発明の概要】
【発明が解決しようとする課題】
【０００４】
しかしながら、改修される既設の窓枠の形状は様々であり、改修用サッシを適当な位置に配置して固定するには、既設窓枠の形状に応じた取付補助部材をそれぞれ用意する必要があり、また、位置合わせして固定するための部品点数も多く、部品管理の負担が大きかった。また、既設窓枠に固定された取付補助部材に対して改修用窓枠を取り付ける作業についても、改修用窓枠のレベルを出しながら行う必要があり、施工が煩雑となっていた。
【０００５】
本発明は、上記事情を鑑みたものであり、取付補助部材の種類及び部品点数を減らすとともに、既設窓枠に対する改修用窓枠の位置決めを簡単にして、施工の効率を向上させることのできる改修用サッシを提供することを目的とする。
【課題を解決するための手段】
【０００６】
本発明は、捨枠と改修用窓枠とを備え、下枠用の捨枠は、既設下枠の室内側上端面に載置される上壁と、上壁の室外側で下方に屈曲して垂下する垂下壁と、垂下壁に設けられた高さ調節手段とを有し、改修用窓枠の下枠は捨枠に載置され、その室外側下面より下方に延設される水切壁を有するとともに、改修用窓枠の下枠の下面と水切壁の室内側面には位置決めの基準となる基準部分を有し、
改修用窓枠の下枠の下面と水切壁の室内側面の基準部分を、捨枠の上壁上面と垂下壁室外側面に当接させて固定することを特徴とする。
【発明の効果】
【０００７】
本発明によれば、各種の既設窓枠に対する改修用窓枠の位置決めを容易にして、改修作業の効率化を図ることができる。
【図面の簡単な説明】
【０００８】
【図１】本発明の第１の実施形態に係る改修用サッシの縦断面図である。
【図２】本発明の第１の実施形態に係る改修用サッシの横断面図である。
【図３】本発明の第１の実施形態に係る改修用サッシの下枠部分の縦断面図である。
【図４】本発明の第１の実施形態に係る改修用サッシの下捨枠の斜視図である。
【図５】本発明の第２の実施形態に係る改修用サッシの下枠部分の縦断面図である。
【図６】本発明の第３の実施形態に係る改修用サッシの下枠部分の縦断面図である。
【図７】本発明の第４の実施形態に係る改修用サッシの下枠部分の縦断面図である。
【図８】本発明の第５の実施形態に係る改修用サッシの下枠部分の縦断面図である。
【図９】本発明の第６の実施形態に係る改修用サッシの下枠部分の縦断面図である。
【図１０】本発明の第７の実施形態に係る改修用サッシの下枠部分の縦断面図である。
【図１１】本発明の第８の実施形態に係る改修用サッシの下枠部分の縦断面図である。
【発明を実施するための形態】
【０００９】
（全体の構成）
改修用サッシは、既設窓枠に対してネジ等により固定される捨枠と、捨枠に対してその内周側に固定される改修用窓枠とからなる。改修用窓枠は、改修用上枠１１、改修用下枠１２、及び、左右一対の改修用縦枠１３とから構成され、同様に、捨枠は、上捨枠２１、下捨枠２２、及び、左右一対の縦捨枠２３とから、既設窓枠は、既設上枠３１、既設下枠３２、及び、左右一対の既設縦枠３３とから構成されている。
【００１０】
−第１の実施形態−
本発明の第１の実施形態を、図１乃至４を参照して説明する。
（下枠部の構成）
改修用下枠１２は、アルミ材の押出形材からなり、下捨枠２２の上面に載置されるガラス溝底壁１２１と、ガラス溝底壁１２１の室外側端部より上方に延設される室外側ガラス溝壁１２２と、ガラス溝底壁１２１の略中央部より上方に延設されて室外側ガラス溝壁１２２と協働してガラス溝を構成する室内側ガラス溝壁１２３と、ガラス溝底壁１２１の室内側端部に形成される室内側フランジ片１２４と、ガラス溝底壁１２１の下面より下方に延設される水切壁１２５とからなり、改修用下枠１２の下面となるガラス溝底壁１２１の下面及び水切壁１２５の室内側面には、下捨枠２２に対する位置決めの基準部分となる基準面１２１ａ，１２５ａが形成されている。
【００１１】
下捨枠２２は、アルミ材の押出形材からなる長尺材であり、既設下枠３２の上端に載置される固定部２２１ｂと改修用下枠１２のガラス溝底壁１２１の基準面１２１ａが載置される載置部２２１ａからなる上壁２２１と、上壁２２１の室外側端部より下方に垂下する垂下壁２２２とからなり、断面略Ｌ字形状をしている。下捨枠２２の垂下壁２２２の室外側面には、改修用下枠１２の水切壁１２５の基準面１２５ａが当接する当接部２２２ａが形成され、下捨枠２２に対する改修用下枠１２の見込み方向の位置決めを、正確に且つ簡単に行うことができる。
【００１２】
下捨枠２２の垂下壁２２２の下端には、下方に開口し開口両端に係止片を有する溝部２２３が長手方向に沿って形成されており、溝部２２３内には複数個のナット２２４が回転不能に収容されて保持されるとともに溝部２２３のナット２２４が保持されている位置の底部にはボルト２２５が上下に挿通される孔が形成されている。そして、ボルト２２５が頭部を下にして溝部２２３の開口を通じてナット２２４に螺合するとともに孔部から上方に突出して配設されており、ボルト２２５を回転させることにより下捨枠２２の垂下壁２２２に対して上下方向に位置の調節が可能となっている。
【００１３】
既設下枠３２は、その室内側に形成されたガラス溝部３２１と、ガラス溝部３２１の室外側下方より室外側に向かって下方に傾斜して延びる水切片３２２と、ガラス溝部３２１の室内側上方位置から室内側に向かって水平に延びる室内側片３２３と、室内側片３２３の下方に位置して既設下枠３２の室内側の壁を構成する背後壁３２４とにより構成されている。ガラス溝部３２１の上端面及び室内側片３２３の上面は略同じ高さに構成され、ガラス溝部３２１の室内側面、即ち背後壁３２４が建物の開口部の下縁部材４２の室外側面に当接するとともに室内側片３２３が下縁部材４２にネジ等で固定されている。
【００１４】
そして、下捨枠２２の上壁２２１の固定部２２１ｂが既設下枠３２のガラス溝部３２１及び室内側片３２３の上面に載置されるとともに、下捨枠２２の垂下壁２２２に配置されたボルト２２５の頭部が既設下枠３２の水切片３２２の上面に当接するよう高さ位置が調節された状態で、下捨枠２２の上壁２２１の上面より長ボルト等により既設下枠３２に固定されている。
【００１５】
下捨枠２２は長尺材からなり、高さ調節手段であるボルト２２５を複数備えているので、例えば既設下枠３２が経年劣化等により撓んでいた場合であっても、下捨枠２２の左右端部近傍に配置されたボルト２２５により確実に水平をだすことができ、施工の際の位置出しを容易に行うことができる。左右端部近傍に配置されたボルト２２５により水平を確保した後に、中央部に配置されたボルト２２５の高さ位置を調節することにより、比較的長い下捨枠２２であっても、水平を維持し中央部が撓むことを防止できる。
【００１６】
図４においては、長尺の下捨枠２２に対して、左右端部近傍及び中央部に３つのボルト２２５が配設されているが、ボルト２２５の数は３つに限定されるものではなく、少なくとも左右端部近傍に２つのボルト２２５があればよく、中央部のボルト２２５の数は下捨枠２２の長さに応じて適宜決定すれば良い。
【００１７】
既設下枠３２に固定された下捨枠２２の上壁２２１の載置部２２１ａ及び垂下壁２２２の当接部２２２ａに改修用下枠１２のガラス溝底壁１２１及び水切壁１２５の基準面１２１ａ，１２５ａが当接するように改修用下枠１２が下捨枠２２上に配置され、さらに、改修用下枠１２の室内側フランジ片１２４が下捨枠２２の上壁２２１の室内側上面に載置されている。この状態で、載置部２２１ａ及び当接部２２２ａの位置において、ネジ等により改修用下枠１２と下捨枠２２とが固定されている。
【００１８】
下捨枠２２の上壁２２１の室内側上面に載置された改修用下枠１２の室内側フランジ片１２４と、下捨枠２２の上壁２２１の室内側上面と、既設下枠３２の室内側片３２３の上面は、気密テープ５２により覆われており、既設下枠３２と下捨枠２２との間、下捨枠２２と改修用下枠１２との間を気密している。そして、気密テープ５２の上方より既設下枠３２の室内側片３２３を覆うように化粧枠材６２が配置されるとともに、ネジ等により固定されている。
【００１９】
（上枠部の構成）
改修用上枠１１は、アルミ材の押出形材からなり、天井壁１１１と、天井壁１１１の室外側端部より下方に延設される室外側ガラス溝壁１１２と、天井壁１１１の略中央部に形成され押縁１１３が係合される係合部１１４と、天井壁１１１の室内側端部に形成された室内側フランジ片１１５と、押縁１１３とからなり、天井壁１１１のガラス溝部の底面の一部には、上捨枠２１に対してスペーサ７を介して固定される固定部１１６が形成されている。
【００２０】
上捨枠２１は、既設上枠３１の下面に当接する水平壁２１１と水平壁２１１の室内側端より上方に屈曲して延設される屈曲壁２１２とからなり、断面略Ｌ字形状をなしている。
【００２１】
既設上枠３１は、下面に旧ガラス溝部を備える既設上枠本体３１１と、既設上枠本体３１１の室内側面より水平方向に延びる室内側片３１２とからなり、室内側片３１２が建物の開口部の上縁部材４１にネジ等により固定されている。
【００２２】
上捨枠２１の水平壁２１１の外周面が既設上枠３１の既設上枠本体３１１の内周面に当接されるとともに、屈曲壁２１２が既設上枠３１の既設上枠本体３１１の室内側面に当接された状態で、上捨枠２１の水平壁２１１の下面よりネジ等により既設上枠３１に固定されている。
【００２３】
既設上枠３１に固定された上捨枠２１の水平壁２１１の下面には、適宜枚数のスペーサ７が挿入されており、スペーサ７の下面に対して改修用上枠１１の固定部１１６の上面及び室内側フランジ片１１５の上面が当接して、スペーサ７とともに上捨枠２１にネジ止め固定されている。
【００２４】
スペーサ７の下面に当接した改修用上枠１１の室内側フランジ片１１５と、スペーサ７の室内側端面と、上捨枠２１の屈曲壁２１２と、既設上枠３１の室内側片３１２の下面とが、気密テープ５１により覆われており、既設上枠３１と上捨枠２１との間、上捨枠２１とスペーサ７との間、スペーサ７と改修用上枠１１との間を気密している。そして、気密テープ５１の下方より既設上枠３１の室内側片３１２を覆うように化粧枠材６１が配置されるとともに、ネジ等により固定されている。
【００２５】
（縦枠部の構成）
左右一対の改修用縦枠１３は、それぞれアルミ材の押出形材からなり、室外側端部において内周側に向かって突出してガラス溝を構成する室外側ガラス溝壁１３２と、室内側端部において内周側に向かって突出する室内側壁１３３と、室外側ガラス溝壁１３２と室内側壁１３３とを連結する連結壁１３１と、室内側壁１３３より室内側に突出する室内側フランジ片１３４と、連結壁１３１の内周側であって室外側ガラス溝壁１３２と室内側壁１３３との間に設けられた押縁１３６を係合する係合部１３５と押縁１３６とからなる。
【００２６】
左右一対の縦捨枠２３は、既設縦枠３３の室外側壁３３２の室内側面に当接する室外壁２３１と、室外壁２３１の内周端より室内側に延びる内周壁２３２と、内周壁２３２の室内側端部より外周側に屈曲して延びる室内壁２３３とからなり、内周壁２３２を底部とする略Ｕ字形状をなしている。
【００２７】
既設縦枠３３は、内周面にガラス溝部を備える既設縦枠本体３３１と、既設縦枠本体３３１の室外側端部より内周方向に延出する室外側壁３３２と、既設縦枠本体３３１の内周方向に延出してガラス溝を構成する室外側ガラス溝壁３３３と、既設縦枠本体３３１の外周面より外周方向に延出する脚部３３４、３３５と、既設縦枠本体３３１の室内側に延出される室内側片３３６とからなり、室内側片３３６が建物の開口部の縦縁部材４３にネジ等により固定されている。
【００２８】
そして、縦捨枠２３の内周壁２３２の外周面が既設縦枠３３の室外側ガラス溝壁３３３の内周端に当接され、室外壁２３１の室外側面が既設縦枠３３の室外側壁３３２の室内側面に当接された状態で、既設縦枠３３の室外側壁３３２の室外側からネジ等により固定されている。縦捨枠２３が既設縦枠３３に固定された状態においては、縦捨枠２３の室内壁２３３の端部が既設縦枠３３の室内側片３３６の内周面に当接している。
【００２９】
既設縦枠３３に固定された縦捨枠２３の内周壁２３２の内周面には、適宜枚数のスペーサ７が配置され、スペーサ７の内周面に対して改修用縦枠１３の連結壁１３１の外周面に設けられた脚片及び室内側フランジ片１３４の先端部が当接し、スペーサ７とともに縦捨枠２３にネジ止め固定されている。
【００３０】
スペーサ７に当接した改修用縦枠１３の室内側フランジ片１３４と、スペーサ７の室内側端面と、縦捨枠２３の室内壁２３３と、既設縦枠３３の室内側片３３６の室内外面に亘って、気密テープ５３により覆われており、既設縦枠３３と縦捨枠２３との間、縦捨枠２３とスペーサ７との間、スペーサ７と改修用縦枠１３との間を気密している。そして、気密テープ５３の室内側より既設縦枠３３の室内側片３３６及び気密テープ５３を覆うように化粧枠材６３が配置されるとともに、建物の開口部の縦縁部材４３にネジ等により固定されている。
【００３１】
（改修工法）
本発明の改修用サッシを用いた改修工法について説明する。
まず、既設下枠３２に対して、下捨枠２２が取り付けられる。下捨枠２２は、その上壁２２１が既設下枠３２のガラス溝部３２１及び室内側片３２３の上面に載置された状態でその室内外方向の位置合わせがなされ、ネジ等により仮固定される。
【００３２】
室内外方向の位置合わせは、例えば下捨枠２２の上壁２２１の室内側端部位置を既設下枠３２の背後壁３２４の上方位置に合せることにより行われる。既設下枠３２の背後壁３２４及びその室内側に連続する室内側片３２３は、建物の開口部を構成する下縁部材４２に密接して直接固定されているので、たわみ等の変形が少なく、下捨枠２２の室内側端部を水平に保持することができる。そして、仮固定された状態で室外側より長尺状の下捨枠２２の左右端部近傍に配置されたボルト２２５の頭部を回転させて下捨枠２２の載置部２２１ａが見込み方向及び左右方向において水平となるようにボルト２２５の高さ位置が調節される。
【００３３】
載置部２２１ａが水平となるように左右端部近傍のボルト２２５の高さ位置が調節された下捨枠２２は、中央部に配置されたボルト２２５の下端が既設下枠３２の水切片３２２の上面に当接するように高さ位置が調節され、その後、仮固定していたネジ等を本締めすることにより既設下枠３２のガラス溝部３２１及び室内側片３２３に対して上方より固定される。
【００３４】
このように、下捨枠２２の水平を確保するための高さ位置調節は、既設下枠３２の既設レール等を利用するものではなく、既設下枠３２の内周面を構成する水切片３２２上に載置される構造であるので、見込み方向に何ら制約を受けることなく、見込み方向（室内外方向）の取付位置を任意に設定することができる。
【００３５】
次に、既設上枠３１に対して、上捨枠２１が取り付けられる。上捨枠２１の水平壁２１１を既設上枠３１の既設上枠本体３１１に当接させるとともに、その屈曲壁２１２を既設上枠３１の室内側面に当接させて既設上枠３１の内周を覆うように配置され、ネジ等により固定される。
【００３６】
同様に、左右一対の既設縦枠３３に対して、左右一対の縦捨枠２３が取り付けられる。縦捨枠２３は、その内周壁２３２が既設縦枠３３の室外側ガラス溝壁３３３の内周端に当接されるとともに、室外壁２３１が既設縦枠３３の室外側壁３３２の室内側面に当接されネジ等により固定されてなる。
【００３７】
そして、左右上下の捨枠が固定された既設窓枠に対して、その室外側から改修用窓枠が固定される。改修用窓枠は、改修用下枠１２、改修用上枠１１及び左右の改修用縦枠１３、１３を四周に組んでなり、捨枠が固定された既設窓枠に対して、その室外側から挿入され固定される。
【００３８】
その際、高さ方向及び室内外方向の位置決めは、下捨枠２２を既設下枠３２に固定する際に既に行われているので、改修用窓枠の改修用下枠１２のガラス溝底壁１２１の基準面１２１ａ及び水切壁１２５の基準面１２５ａを下捨枠２２の上壁２２１に形成された載置部２２１ａ及び垂下壁２２２に形成された当接部２２２ａに当接させることにより、改修用窓枠の高さ方向及び室内外方向の位置決めを容易にでき、施工の効率を向上させることができる。
【００３９】
また、改修用窓枠の改修用上枠１１及び改修用縦枠１３と捨枠との間には、適宜スペーサ７を配置しているので、改修用上枠１１及び改修用縦枠１３ががたつくことを防止しているとともに、ネジによる固定を可能としている。
【００４０】
図５乃至１１を参照して、第１の実施形態とは異なる実施形態について説明する。なお、上枠部及び縦枠部については、第１の実施形態と実質的に同じであるのでその説明を省略する。また、下枠部についても、同様の構成については、その説明を省略する。
【００４１】
−第２の実施形態−
本発明の第２の実施形態の下枠部を図５に示す。
第２乃至第７の実施形態においては、下捨枠２２について、その上壁２２１の固定部２２１ｂが、その下面が載置部２２１ａの下面と同一高さとなっている室外側固定部２２１ｃと室外側固定部２２１ｃの室内側に階段状に連続して一段高く形成された室内側固定部２２１ｄとから構成されている点で第１の実施形態と異なっている。
そして、第２の実施形態は、既設下枠３２の室内側片３２３に対してガラス溝部３２１の上端が低く形成されている場合に採用される実施の形態である。
【００４２】
この第２の実施形態においては、下捨枠２２の上壁２２１の室内側端部位置が既設下枠３２の背後壁３２４の上方位置となるように位置合わせした状態で、下捨枠２２の上壁２２１の室内側固定部２２１ｄが既設下枠３２の室内側片３２３の上面に載置されるとともに、下捨枠２２の上壁２２１の室外側固定部２２１ｃがガラス溝部３２１にスペーサ７を介して載置されている。そして、ガラス溝部３２１の上端の高さに応じて、ガラス溝部３２１の上面と下捨枠２２の室外側固定部２２１ｃとの間のスペーサ７の量を調節するとともに、ボルト２２５の高さ位置を調節することにより、下捨枠２２の載置部２２１ａが水平となるように調節している。
【００４３】
−第３の実施形態−
本発明の第３の実施形態の下枠部を図６に示す。
第３の実施形態は、既設下枠３２が室内側片３２３を有しておらず、改修用下枠１２の高さ方向寸法に比べて、既設下枠３２の高さ寸法が小さい場合に採用される実施の形態である。
【００４４】
既設下枠３２の室内側端部の上面及び建物の開口部の下縁部材４２の上面に角パイプ等の補助材９１を介して、下捨枠２２の室内側固定部２２１ｄが載置されるとともに、既設下枠３２のガラス溝部３２１の溝室外側壁３２１ａに逆Ｌ字形状のアングル材９２の脚部を固定して、下捨枠２２の室外側固定部２２１ｃの下面がアングル材９２の上面に載置されている。補助材９１の下面には気密テープ５５が挿入されている。
【００４５】
この実施形態においても、下捨枠２２の上壁２２１の室内側端部位置を既設下枠３２の背後壁３２４の上方位置に合わせることにより、見込み方向における位置決めがなされている。そして、角パイプ等の補助材９１の寸法を調節したり、既設下枠３２のガラス溝部３２１の溝室外側壁３２１ａと逆Ｌ字形状のアングル材９２との連結固定位置を調節したり、ボルト２２５の高さ位置を調節をすることにより、下捨枠２２の載置部２２１ａが水平となるように調節することができる。
【００４６】
−第４の実施形態−
本発明の第４の実施形態の下枠部を図７に示す。
第４の実施形態は、既設下枠３２が室内側片３２３を有しておらず、改修用下枠１２の高さ方向寸法に比べて、既設下枠３２の高さ寸法が小さく、改修用下枠１２の見込み寸法に比べて、既設下枠３２の見込み寸法が大きい場合に採用される実施の形態である。
【００４７】
既設下枠３２の室内側端部の上面及び建物開口部の下縁部材４２の上面に角パイプ等の補助材９１が設置され、その室外側面にアングル材９３が取り付けられ、アングル材９３の上面に下捨枠２２の室内側固定部２２１ｄが載置されるとともに、既設下枠３２のガラス溝部３２１の溝室外側壁３２１ａに逆Ｌ字形状のアングル材９４の脚部をスペーサ７を介して固定して、下捨枠２２の室外側固定部２２１ｃの下面がアングル材９４の上面に載置されている。補助材９１の下面には気密テープ５５が挿入されている。
【００４８】
この実施形態においては、下捨枠２２の上壁２２１の室内側端部位置を、既設下枠３２の背後壁３２４の上方位置から改修用下枠１２と既設下枠３２との見込み寸法の差に応じて適宜室外側にずらして位置決めがなされている。そして、各スペーサ７の量を調節したり、角パイプ等の補助材９１の寸法を調節したり、既設下枠３２のガラス溝部３２１の溝室外側壁３２１ａと逆Ｌ字形状のアングル材９４との連結固定位置を調節するとともに、ボルト２２５の高さ位置を調節することにより、改修用下枠１２の載置部２２１ａが水平となるように調節することができる。
【００４９】
−第５の実施形態−
本発明の第５の実施形態の下枠部を図８に示す。
第３の実施形態は、改修用下枠１２の見込み寸法に比べて、既設下枠３２の見込み寸法が大きく、かつ、下捨枠２２の室内側固定部２２１ｄを預ける既設下枠３２の上面が面落ちしている場合に採用される実施の形態である。
【００５０】
既設下枠３２の面落ちされた室内側の上面にスペーサ７を介して、下捨枠２２の上壁２２１の室内側固定部２２１ｄが載置されるとともに、既設下枠３２のガラス溝部３２１の上面にスペーサ７を介して、下捨枠２２の室外側固定部２２１ｃの下面が載置されている。
【００５１】
この実施形態においても、下捨枠２２の上壁２２１の室内側端部位置を既設下枠３２の背後壁３２４の上方位置に合わせることにより、見込み方向における位置決めがなされている。そして、各スペーサ７の量を調節するとともに、ボルト２２５の高さ位置を調節することにより、改修用下枠１２の載置部２２１ａが水平となるように調節することができる。
【００５２】
−第６の実施形態−
本発明の第６の実施形態の下枠部を図９に示す。
第６の実施形態は、既設下枠３２に下捨枠２２の上壁２２１の室外側固定部２２１ｃを載置するためのガラス溝部３２１の溝室外側壁３２１ａ等既設のベース面が無い場合に採用される実施の形態である。
【００５３】
下捨枠２２の上壁２２１の室内側固定部２２１ｄが既設下枠３２の室内側片３２３に載置されるとともに、既設下枠３２のガラス溝部３２１の溝底壁３２１ｃにアングル材を連結して成る取付補助材９５を立設固定して、下捨枠２２の室外側固定部２２１ｃの下面が取付補助材９５の上面に載置されている。
【００５４】
この実施形態においても、下捨枠２２の上壁２２１の室内側端部位置を既設下枠３２の背後壁３２４の上方位置に合わせることにより、見込み方向における位置決めがなされている。そして、取付補助材９５のアングル材同士の連結位置の高さ調節をするとともに、ボルト２２５の高さ位置を調節することにより、改修用下枠１２の載置部２２１ａが水平となるように調節することができる。
【００５５】
−第７の実施形態−
本発明の第７の実施形態の下枠部を図１０に示す。
第７の実施形態は、既設下枠３２が押縁ａによりガラス等パネルを保持する型式の枠体など、下捨枠２２の垂下壁２２２の高さ寸法に対して、既設下枠３２の立ち上がり寸法が大きく、下捨枠２２の垂下壁２２２に配置されて対応可能なボルト２２５が存在しない場合に採用される実施の形態である。
【００５６】
既設下枠３２の室内側部分の上面にスペーサ７を介して、下捨枠２２の上壁２２１の室内側固定部２２１ｄが載置されるとともに、既設下枠３２のガラス溝部３２１の溝室内側壁３２１ｂにアングル材９６を固定して、下捨枠２２の室外側固定部２２１ｃの下面がアングル材９６の上面に載置されている。
【００５７】
この実施形態においては、既設下枠３２の構造上の見込み寸法が大きいために、下捨枠２２の上壁２２１の室内側端部位置を、既設下枠３２の背後壁３２４の上方位置から適宜室外側にずらして位置決めがなされている。そして、下捨枠２２の垂下壁２２２の下端が既設下枠３２の溝底壁３２１ｃの上面にスペーサ７を介して載置されている。したがって、各スペーサ７の量を調節するとともに、ガラス溝部３２１の溝室内側壁３２１ｂとアングル材９６との固定位置の高さ調節をすることにより、改修用下枠１２の載置部２２１ａが水平となるように調節することができる。
この実施形態においては、垂下壁２２２の下端に配置されるスペーサ７が高さ調節手段として構成されている。
【００５８】
−第８の実施形態−
本発明の第８の実施形態の下枠部を図１１に示す。
第８の実施形態は、改修用サッシが開閉サッシであって、既設下枠３２の室内側片３２３に対してガラス溝部３２１の上端が低く形成されている場合に採用される実施の形態である。
【００５９】
この第８の実施形態においては、改修用サッシの改修用下枠１５が、開閉障子ｂの下縁部が当接する戸当り部１５２と、戸当り部１５２の室外側に延設され開閉障子ｂの下方外周と対向する底面壁１５１と、底面壁１５１の室外側端部に連続して下方に延設する水切壁１５３と、戸当り部１５２の室内側端部に室内側に向かって延設する室内側フランジ片１５４とから形成されている。
【００６０】
そして、底面壁１５１の下面には下捨枠２２の上面に当接するリブ部１５５が形成されるとともに、水切壁１５３の室内側面には基準面１５３ａが形成され、リブ部１５５及び水切壁１５３の基準面１５３ａが下捨枠２２に対する位置決めの基準となる基準部分として構成されている。
【００６１】
下捨枠２２の上壁２２１の室内側固定部２２１ｄが既設下枠３２の室内側片３２３の上面に載置されるとともに、下捨枠２２の上壁２２１の室外側固定部２２１ｃがガラス溝部３２１にスペーサ７を介して載置されている。
【００６２】
この実施形態においても、下捨枠２２の上壁２２１の室内側端部位置を既設下枠３２の背後壁３２４の上方位置に合わせることにより、見込み方向における位置決めがなされている。ガラス溝部３２１の上端の高さに応じて、ガラス溝部３２１の上面と下捨枠２２の室外側固定部２２１ｃとの間のスペーサ７の量を調節するとともに、ボルト２２５の高さ位置を調節することにより、下捨枠２２の載置部２２１ａが水平となるように調節している。
【００６３】
そして、下捨枠２２の載置部２２１ａに対して改修用下枠１５の底面壁１５１に形成されたリブ部１５５が当接するとともに、下捨枠２２の垂下壁２２２の室外側面の当接部２２２ａに対して、改修用下枠１５の水切壁１５３の基準面１５３ａが当接することによって、下捨枠２２に対する改修用下枠１５の位置決めを簡単に行うことができる。
【００６４】
−本発明の実施形態による作用・効果−
以上のように、本発明の各実施形態の改修用サッシは、改修用下枠を固定する下捨枠が既設窓枠の上端に載置される上壁と高さ調節手段を有する垂下壁とから構成されているので、各種の既設窓枠に対して位置決めして固定することが容易であり、さらに、上壁及び垂下壁のそれぞれに改修用下枠を載置して位置合わせができる基準面（載置面及び当接面）を備えているので、改修用下枠を下捨枠に載置するだけで上下方向の位置合わせができ、載置した後に下捨枠の当接面に当接させることにより見込み方向の位置合わせができるから、改修用下枠の固定作業時にレベルを出しながら行う必要がなく、改修作業の効率が向上する。
【００６５】
また、改修用下枠の下面を基準部分とする場合には、改修用下枠の下面が、下捨枠の基準面となる上壁の上面に隙間無く載置されて固定されるので、ガラス等のパネルの重量を改修用下枠と下捨枠と受けることができ、改修用下枠の底壁の厚みを薄くすることができて、材料を節約することができる。
【００６６】
なお、上記本発明の改修用サッシの下捨枠の上壁及び垂下壁は、それぞれ改修用サッシの下面の基準部分を載置する載置面及び改修用サッシの水切り壁の室内側面の基準面に当接する当接面を備えていればよく、その形状は特に限定されるものではない。また、垂下部の下方に配置される位置調節手段についても、ボルトに限定されるものでは無く、例えば第７の実施形態のように、スペーサ等の高さ調節手段を用いてもよい。
【符号の説明】
【００６７】
１  改修用窓枠
１１  改修用上枠
１１１  天井壁
１１２  室外側ガラス溝壁
１１３  押縁
１１４  係合部
１１５  室内側フランジ片
１１６  固定部
１２  改修用下枠
１２１  底壁
１２１ａ  基準面（基準部分）
１２２  室外側ガラス溝壁
１２３  室内側ガラス溝壁
１２４  室内側フランジ片
１２５  水切壁
１２５ａ  基準面（基準部分）
１３  改修用縦枠
１３１  連結壁
１３２  室外側ガラス溝壁
１３３  室内側壁
１３４  室内側フランジ片
１３５  係合部
１３６  押縁
１５  改修用下枠
１５１  底面壁
１５２  戸当り部
１５３  水切壁
１５４  室内側フランジ片
１５５  リブ部（基準部分）
２  捨枠
２１  上捨枠
２１１  水平壁
２１２  屈曲壁
２２  下捨枠
２２１  上壁
２２１ａ  載置部
２２１ｂ  固定部
２２１ｃ  室外側固定部
２２１ｄ  室内側固定部
２２２  垂下壁
２２２ａ  当接部
２２３  溝部
２２４  ナット
２２５  ボルト
２３  縦捨枠
２３１  室外壁
２３２  内周壁
２３３  室内壁
３  既設窓枠
３１  既設上枠
３１１  既設上枠本体
３１２  室内側片
３２  既設下枠
３２１  ガラス溝部
３２１ａ  溝室外側壁
３２１ｂ  溝室内側壁
３２１ｃ  溝底壁
３２２  水切片
３２３  室内側片
３２４  背後壁
３３  既設縦枠
３３１  既設縦枠本体
３３２  室外側壁
３３３  室外側ガラス溝壁
３３４、３３５  脚部
３３６  室内側片
４１  上縁部材
４２  下縁部材
４３  縦縁部材
７  スペーサ
９１  補助材
９２，９３，９４、９６  アングル材
９５  取付補助材
【図１】
2015132148.tif 000003
【図２】
2015132148.tif 000004
【図３】
2015132148.tif 000005
【図４】
2015132148.tif 000006
【図５】
2015132148.tif 000007
【図６】
2015132148.tif 000008
【図７】
2015132148.tif 000009
【図８】
2015132148.tif 000010
【図９】
2015132148.tif 000011
【図１０】
2015132148.tif 000012
【図１１】
2015132148.tif 000013